(57)【要約】【課題】　表示装置において、設定された作業環境下で入力画像本来の色を忠実に再現することができる色処理装置を提供する。【解決手段】　周辺条件認識部２は、入力画像１を表示する領域の周辺部の表示領域（枠や表示領域外）に関する設定条件を認識する。また表示装置設定色温度取得部３は、表示装置７の設定色温度を検出する。周辺条件補正色変換係数決定部５は、周辺条件認識部２と表示装置設定色温度取得部３からの出力を受けて、入力画像１が表示装置７に表示されたとき、その周辺部の条件による色の見えの変化を予測し、周辺条件補正色変換部６において色処理を行う際に用いる色変換係数を周辺条件補正用色変換係数記憶部４から取り出して周辺条件補正色変換部６に渡し、入力画像１に対する色処理を行って表示装置７に表示させる。【選択図】　図１
2004072758.tif 000002
【特許請求の範囲】
【請求項１】
　入力画像から該入力画像を可視化するための画像信号への変換を行う色処理装置において、前記入力画像を表示する領域の周辺部の表示領域に関する設定条件を認識する周辺条件認識手段と、前記周辺条件認識手段によって認識された前記設定条件に従い前記入力画像における該入力画像の周辺部の条件による色の見えの変化を予測して色変換係数を決定する色変換係数決定手段と、前記色変換係数決定手段により決定された色変換係数に基づき前記入力画像に色変換処理を施す色変換処理手段を有することを特徴とする色処理装置。
【請求項２】
　前記周辺条件認識手段は、前記入力画像の表示領域を限定するために表示される枠の色度情報及び面積情報を認識することを特徴とする請求項１に記載の色処理装置。
【請求項３】
　前記周辺条件認識手段は、前記入力画像の表示領域外の領域の色度情報及び面積情報を認識することを特徴とする請求項１に記載の色処理装置。
【請求項４】
　さらに、前記周辺条件認識手段を利用するか否かを設定可能なユーザ条件設定手段を有することを特徴とする請求項１ないし請求項３のいずれか１項に記載の色処理装置。
【請求項５】
　入力画像から該入力画像を可視化するための画像信号への変換を行う色処理装置において、前記入力画像を表示する領域の周辺部の条件による色の見えの変化を補正するための設定条件の入力を受け付けるユーザ条件設定手段と、前記ユーザ条件設定手段で入力された前記設定条件に従い色変換係数を決定する色変換係数決定手段と、前記色変換係数決定手段により決定された色変換係数に基づき前記入力画像に色変換処理を施す色変換処理手段を有することを特徴とする色処理装置。
【請求項６】
　前記ユーザ条件設定手段は、少なくとも周辺条件を含めた画像と周辺条件を伴わない画像とをユーザに提示して両者の色の見えが略等しくなるような前記設定条件をユーザから受け取ることを特徴とする請求項５に記載の色処理装置。
【請求項７】
　前記ユーザ条件設定手段は、前記周辺条件を含めた画像として複数の色変換係数による変換結果を提示することを特徴とする請求項６に記載の色処理装置。
【請求項８】
　前記色変換係数決定手段は、前記入力画像を表示する表示装置における白色に関する情報を加味して前記色変換係数を決定することを特徴とする請求項１ないし請求項７のいずれか１項に記載の色処理装置。
【請求項９】
　さらに、色変換係数を複数組保持する周辺条件補正用色変換係数記憶手段を有し、色変換係数決定手段は、前記設定条件に従って前記周辺条件補正用色変換係数記憶手段から１組の色変換係数を決定することを特徴とする請求項１ないし請求項８のいずれか１項に記載の色処理装置。
【請求項１０】
　さらに、色変換係数を複数組保持する周辺条件補正用色変換係数記憶手段を有し、色変換係数決定手段は、前記周辺条件認識手段によって認識された前記設定条件に従って前記周辺条件補正用色変換係数記憶手段から複数組の色変換係数を取り出して前記色変換処理手段で用いる色変換係数を決定することを特徴とする請求項１ないし請求項８のいずれか１項に記載の色処理装置。
【請求項１１】
　さらに、前記入力画像を表示する表示装置に依存する色変換係数を保持する色変換係数記憶手段を有し、色変換係数決定手段は、前記設定条件に従って前記色変換係数記憶手段に保持されている前記色変換係数に対して変換処理を施し、前記色変換処理手段で用いる色変換係数を決定することを特徴とする請求項１ないし請求項８のいずれか１項に記載の色処理装置。
【請求項１２】
　さらに、前記色変換係数決定手段で決定した前記色変換係数を記憶する色変換係数記憶手段を有し、前記色変換係数決定手段は、ユーザからの指示に従って前記色変換係数記憶手段が記憶している前記色変換係数を読み出して使用するものと決定することを特徴とする請求項１ないし請求項１１のいずれか１項に記載の色処理装置。
【請求項１３】
　入力画像から該入力画像を可視化するための画像信号への変換を行う色処理方法において、前記入力画像を表示する領域の周辺部の表示領域に関する設定条件を認識し、認識された前記設定条件に従い前記入力画像における該入力画像の周辺部の条件による色の見えの変化を予測して色変換係数を決定し、決定された色変換係数に基づき前記入力画像に色変換処理を施すことを特徴とする色処理方法。
【請求項１４】
　前記設定条件の認識の際に、前記入力画像の表示領域を限定するために表示される枠の色度情報及び面積情報を認識することを特徴とする請求項１３に記載の色処理方法。
【請求項１５】
　前記設定条件の認識の際に、前記入力画像の表示領域外の領域の色度情報及び面積情報を認識することを特徴とする請求項１３に記載の色処理方法。
【請求項１６】
　さらに、前記設定条件の認識を利用するか否かを設定可能としたことを特徴とする請求項１３ないし請求項１５のいずれか１項に記載の色処理方法。
【請求項１７】
　入力画像から該入力画像を可視化するための画像信号への変換を行う色処理方法において、前記入力画像を表示する領域の周辺部の条件による色の見えの変化を補正するための設定条件の入力をユーザから受け取り、受け取った前記設定条件に従い色変換係数を決定し、決定された色変換係数に基づき前記入力画像に色変換処理を施すことを特徴とする色処理方法。
【請求項１８】
　前記設定条件の入力は、少なくとも周辺条件を含めた画像と周辺条件を伴わない画像とをユーザに提示し、両者の色の見えが略等しくなるような前記設定条件をユーザから受け取ることを特徴とする請求項１７に記載の色処理方法。
【請求項１９】
　前記設定条件の入力時には、前記周辺条件を含めた画像として複数の色変換係数による変換結果をユーザに提示することを特徴とする請求項１８に記載の色処理方法。
【請求項２０】
　前記色変換係数の決定の際に、前記入力画像を表示する表示装置における白色に関する情報を加味して前記色変換係数を決定することを特徴とする請求項１３ないし請求項１９のいずれか１項に記載の色処理方法。
【請求項２１】
　予め色変換係数を複数組保持しておき、色変換係数の決定の際に、前記設定条件に従って１組の色変換係数を決定することを特徴とする請求項１３ないし請求項２０のいずれか１項に記載の色処理方法。
【請求項２２】
　予め色変換係数を複数組保持しておき、色変換係数の決定の際に、前記設定条件に従って複数組の色変換係数を取り出して色変換処理時に用いる色変換係数を決定することを特徴とする請求項１３ないし請求項２０のいずれか１項に記載の色処理方法。
【請求項２３】
　さらに、前記入力画像を表示する表示装置に依存する色変換係数を保持しておき、色変換係数を決定する際に、前記設定条件に従って前記色変換係数に対して変換処理を施して色変換処理時に用いる色変換係数を決定することを特徴とする請求項１３ないし請求項２２のいずれか１項に記載の色処理方法。
【請求項２４】
　さらに、決定した前記色変換係数を色変換係数記憶手段に記憶させておき、その後の色変換時にはユーザからの指示に従って前記色変換係数記憶手段が記憶している前記色変換係数を読み出して色変換処理に使用するものと決定することを特徴とする請求項１３ないし請求項２３のいずれか１項に記載の色処理方法。
【請求項２５】
　コンピュータに入力画像から該入力画像を可視化するための画像信号への変換を行わせる色処理プログラムにおいて、前記入力画像を表示する領域の周辺部の表示領域に関する設定条件を認識する周辺条件認識機能と、前記周辺条件認識機能によって認識された前記設定条件に従い前記入力画像における該入力画像の周辺部の条件による色の見えの変化を予測して色変換係数を決定する色変換係数決定機能と、前記色変換係数決定機能により決定された色変換係数に基づき前記入力画像に色変換処理を施す色変換処理機能を実行させることを特徴とする色処理プログラム。
【請求項２６】
　前記周辺条件認識機能は、前記入力画像の表示領域を限定するために表示される枠の色度情報及び面積情報を認識することを特徴とする請求項２５に記載の色処理プログラム。
【請求項２７】
　前記周辺条件認識機能は、前記入力画像の表示領域外の領域の色度情報及び面積情報を認識することを特徴とする請求項２５に記載の色処理プログラム。
【請求項２８】
　さらに、前記周辺条件認識機能を利用するか否かの設定をユーザから受け付けるユーザ条件設定機能を有することを特徴とする請求項２５ないし請求項２７のいずれか１項に記載の色処理プログラム。
【請求項２９】
　コンピュータに入力画像から該入力画像を可視化するための画像信号への変換を行わせる色処理プログラムにおいて、前記入力画像を表示する領域の周辺部の条件による色の見えの変化を補正するための設定条件の入力を受け付けるユーザ条件設定機能と、前記ユーザ条件設定機能で入力された前記設定条件に従い色変換係数を決定する色変換係数決定機能と、前記色変換係数決定機能により決定された色変換係数に基づき前記入力画像に色変換処理を施す色変換処理機能を実行させることを特徴とする色処理プログラム。
【請求項３０】
　前記ユーザ条件設定機能は、少なくとも周辺条件を含めた画像と周辺条件を伴わない画像とをユーザに提示して両者の色の見えが略等しくなるような前記設定条件をユーザから受け取ることを特徴とする請求項２９に記載の色処理プログラム。
【請求項３１】
　前記ユーザ条件設定機能は、前記周辺条件を含めた画像として複数の色変換係数による変換結果を提示することを特徴とする請求項３０に記載の色処理プログラム。
【請求項３２】
　前記色変換係数決定機能は、前記入力画像を表示する表示装置における白色に関する情報を加味して前記色変換係数を決定することを特徴とする請求項２５ないし請求項３１のいずれか１項に記載の色処理プログラム。
【請求項３３】
　さらに、色変換係数を複数組保持する周辺条件補正用色変換係数記憶機能を有し、色変換係数決定機能は、前記設定条件に従って前記周辺条件補正用色変換係数記憶機能によって保持されている色変換係数の組から１組の色変換係数を決定することを特徴とする請求項２５ないし請求項３２のいずれか１項に記載の色処理プログラム。
【請求項３４】
　さらに、色変換係数を複数組保持する周辺条件補正用色変換係数記憶機能を有し、色変換係数決定機能は、前記設定条件に従って前記周辺条件補正用色変換係数記憶機能により保持されている色変換係数の組のうちから複数組の色変換係数を取り出して前記色変換処理機能で用いる色変換係数を決定することを特徴とする請求項２５ないし請求項３２のいずれか１項に記載の色処理プログラム。
【請求項３５】
　さらに、前記入力画像を表示する表示装置に依存する色変換係数を保持する色変換係数記憶機能を有し、色変換係数決定機能は、前記設定条件に従って前記色変換係数記憶機能により保持されている前記色変換係数に対して変換処理を施し、前記色変換処理手段で用いる色変換係数を決定することを特徴とする請求項２５ないし請求項３４のいずれか１項に記載の色処理プログラム。
【請求項３６】
　さらに、前記色変換係数決定機能で決定した前記色変換係数を記憶する色変換係数記憶機能を有し、前記色変換係数決定機能は、ユーザからの指示に従って前記色変換係数記憶機能が記憶している前記色変換係数を読み出して使用するものと決定することを特徴とする請求項２５ないし請求項３５のいずれか１項に記載の色処理プログラム。
【発明の詳細な説明】
【技術分野】
【０００１】
　本発明は、画像処理のうち、特に色処理に関するものであり、例えば入力画像を可視化する際に観察条件に応じた画像信号への色変換を行う処理に関するものである。
【背景技術】
【０００２】
　ＤＴＰ（Ｄｅｓｋｔｏｐ　Ｐｕｂｌｉｓｈｉｎｇ）システムでは、通常、ＣＲＴ（Ｃａｔｈｏｄｅ　Ｒａｙ　Ｔｕｂｅ）などのディスプレイ上で画像の作成・編集を行い、最終的なドキュメントをハードコピーの形で出力している。このようなシステムにおいては、画像の作成・編集を行うディスプレイと、最終的なドキュメントを出力するプリンタのように、異なるデバイスを用いることになる。このとき、それぞれのデバイスの特性が異なるため、ディスプレイ等の表示装置に表示された画像と、プリンタ等の出力装置から出力された画像の色が異なってしまうという問題が発生していた。
【０００３】
　このようなデバイス間の色の違いを防ぎ、各デバイスの色を統一的に管理するために、ＣＭＳ（Ｃｏｌｏｒ　Ｍａｎａｇｅｍｅｎｔ　Ｓｙｓｔｅｍ）が導入されてきた。とりわけ、ＩＣＣ（Ｉｎｔｅｒｎａｔｉｏｎａｌ　Ｃｏｌｏｒ　Ｃｏｎｓｏｒｔｉｕｍ）で制定されているプロファイル形式による色管理は、事実上の標準になっている。
【０００４】
　図７は、ＩＣＣで提案されている従来の色管理方法の一例の説明図である。図中、１０１は入力色変換部、１０２は入力デバイスプロファイル、１０３は色温度変換部、１０４は色の見えモデル、１０５は出力色変換部、１０６は出力デバイスプロファイルである。システム内ではデバイスに依存しない色空間（Ｄｅｖｉｃｅ　Ｉｎｄｅｐｅｎｄｅｎｔ　Ｃｏｌｏｒ）に変換されて色管理される。この時の色空間としては、ＣＩＥ１９３１ＸＹＺ色度やＣＩＥ１９７６Ｌ* ａ* ｂ* 均等色空間などが用いられる。入力色変換部１０１では、このような入力側の色空間からシステム内で用いるデバイスに依存しない色空間への変換を行うとともに、入力装置の特性の影響を排除するため入力デバイスプロファイル１０２を用いて色変換を行う。なお、入力される画像が既に入力装置の特性を排除したものである場合には、入力デバイスプロファイル１０２を用いた色変換処理は不要である。また、入力された画像がデバイスに依存しない色空間の画像である場合には、色空間の変換も不要である。
【０００５】
　次に、色温度変換部１０３では、色の見えモデル１０４を用いて、出力デバイスが設定もしくは想定している色温度へ変換する。このときの色の見えモデルとしては、ｖｏｎ　ＫｒｉｅｓやＨｕｎｔらの提案したモデルが有名であるが、近年ではこれらのモデルの特徴を生かしたＣＩＥＣＡＭ９７ｓが提案されている。
【０００６】
　次いで、出力色変換部１０５において、ＩＣＣで定められた出力デバイスプロファイル１０６に格納された色変換係数を用いて、出力デバイスに固有の色空間に変換される。
【０００７】
　例えば表示装置に画像を表示する場合を考えると、表示装置がユーザによる色温度の調整ができない普通のタイプであるなら、９３００Ｋ前後の色温度になっていることがほとんどである。また、電子原稿などの入力画像が想定する色温度はＤ５０やＤ６５の常用光源であることが多い。仮に入力画像がＤ５０の色温度を持っているなら、色の見えモデルを用いて色温度変換部１０３で入力画像をＤ５０から９３００Ｋの色温度に変換する。このあと、出力色変換部１０５にて表示装置固有の色空間に変換して、表示装置上に表示する。
【０００８】
　また、反射型の出力装置はＤ５０照明下を想定して出力される場合が多い。そのため、入力画像の色温度がＤ５０であるなら、そのまま出力デバイスプロファイル１０６中の色変換係数を用いて出力色変換部１０５で反射型の出力装置固有の色空間に変換する。また、入力画像の設定色温度がＤ６５なら、色の見えモデル１０４を用いて色温度変換部１０３で一度Ｄ５０に変換してから、その後に出力デバイスプロファイル１０６中の色変換係数を用いて出力色変換部１０５で反射型の出力装置固有の色空間へと変換する。
【０００９】
　しかしながら、このような色管理方法では、基準となる白色色温度を個々のデバイスの設定条件に合わせているため、デバイス間で異なる色温度に設定された条件下で同時に比較した場合には色の一致が保証されておらず、色の見えが一致しないという問題がある。また、環境光が変化した場合にも色の一致は保証されない。例えば、Ｄ５０の照明条件を基準として設定されているとき、Ｄ６５の照明下では色の見えが一致しない。
【００１０】
　このような問題点に対して、例えば特許文献１に提案されているように、環境光などの観察条件を獲得し、さらに入力画像の色温度情報を認識し、それらの情報に応じて色変換処理を行うことによってカラーマッチングを良好に行うことが考えられている。図８は、従来の色処理方法を適用した装置の一例の説明図である。図中、１１１は入力画像色温度情報認識部、１１２は色補正変換部、１１３は出力装置、１１４は入力画像である。入力画像色温度情報認識部１１１は、入力画像１１４の色温度情報を認識し、色補正変換部１１２に伝える。色補正変換部１１２では、入力画像色温度情報認識部１１１で認識された入力画像１１４の色温度情報に基づいて、入力画像１１４に対応する記録物や表示画像を観察する光源下で入力画像１１４の色がほぼ正しく再現されるように色変換を行う。色変換された画像信号をもとに出力装置１１３で画像を形成し、あるいは表示する。これによって、どのような環境下でも入力画像１１４の色をほぼ正確に再現することが可能になった。
【００１１】
　しかし、このように環境光のような観察条件や入力画像のもつ色温度情報を用いてカラーマネージメントを行う方法を用いても、画像表示装置の表示条件によっては、色の見えが一致しないということが問題になってきた。確かに、環境光といった観察条件をパラメータとして扱うことにより、表示媒体や観察条件の色温度の違い等をハンドリングすることが可能になった。特に、入力画像がディスプレイの全面に表示されている場合には、ディスプレイの設定白色色温度が異なっていても、同じ色空間上で取り扱い、それらが同じ値になるような処理を行えばよかった。しかしながら、今日のＤＴＰの作業は、現在、ほとんどがパーソナルコンピュータ上においてマルチウィンドウを利用して行われる場合がほとんどである。すなわち、作業の対象である電子情報を表示装置上の一つのウィンドウに割り付けて表示している。その際に、全画面を用いてそのウィンドウを表示している場合もあるが、通常は他のウィンドウや背景、メニューバーなどが混在して表示されている場合が多く、またその電子情報を表示しているウィンドウの枠が同時に表示されていることが多い。
【００１２】
　色処理を所望の画像に対して行った場合、そのウィンドウ内の画像情報は、上述のようにして見えが等しくなるように処理されている。しかし、ウィンドウの枠やウィンドウ外の画像情報や色情報までは必ずしも補正されていない。ウィンドウ枠としては、灰色や白色が用いられることが多い。この時に表示される白色は、ディスプレイとして設定された色温度の白色である。すなわち、９３００Ｋで設定されたようなディスプレイでは、その色温度の白色が表示されることになる。一方で、このような周辺に表示された色が注目色の見えに影響を与えることは「色対比（ｃｈｒｏｍａｔｉｃ　ｃｏｎｔｒａｓｔ）」や「色誘導（ｃｈｒｏｍａｔｉｃ　ｉｎｄｕｃｔｉｏｎ）」という現象として知られている。すなわち、単純な色パッチの見えであっても、周辺刺激の有無で色みが変化してしまうというものである。例えば、表示装置の設定色温度が９３００Ｋであり、入力画像がＤ６５であった場合に、表示画像内の白色をＤ６５の色度で表示しても、表示装置上に９３００Ｋの色温度の白色が枠や背景部に表示されていた場合には、それが黄色っぽく見えてしまう。
【００１３】
　図９は、周囲の画像による色の見えの違いの概念図である。図９では、上述のように異なる色温度の白色枠を付与したときの、色の見えの変化を一定の条件下で実際に測定した結果の例を示している。図中、黒丸が表示画像内の白色（Ｄ６５）の色度を示し、黒三角が白色枠（９３００Ｋ）の色度を示している。このような場合、黒丸で示した表示画像内の白色の実際の色の見えは、点Ａや点Ｂに示すように、白色枠の影響で色の見えが変化してしまっている。
【００１４】
　また、白色枠が小さい場合を点Ａとして示し、白色枠が大きい場合を点Ｂとして示しており、白色枠の面積が大きくなるに従って色の見えの変化も大きくなることが分かる。なお、白色枠の幅が一定以上になるまでは、枠の存在による色の見えの変化は増大するが、一定以上になるとそれ以上は色の見えの変化は変わらなくなる。また、このような色の見えの変化は、白色ほど顕著である。
【００１５】
　このように、注目領域以外の情報が期せずして編集対象の色の見えに影響を与えてしまう現象は、色の見えの一致を目指しているカラーマネージメントの精度をさらに改善するためには無視できない問題となる。また、これはディスプレイの全面を用いて編集を行っている場合には生じない問題であり、編集作業を行う条件に依存したものといえる。
【００１６】
　以上のように、これまでに提案されてきたカラーマネージメントの方法では、ディスプレイ上の表示条件の全情報を考慮して色補正処理がなされていなかった。視覚系が色の見えを決定するのに用いている手がかり情報を活用していなかったので、色補正処理において、それらの情報に依存する色の見えの一致具合が低下してしまい、ユーザが意図した色になるまでその調整に多くの時間と労力を要するとともに、従来の予測式を用いた色変換では意図した色が得られないという問題があった。
【特許文献１】特開２００１−１２８０２１号公報
【発明の開示】
【発明が解決しようとする課題】
【００１７】
　本発明は、上述した事情に鑑みてなされたもので、表示装置において、設定された作業環境下で入力画像本来の色を忠実に再現することができる色処理装置及び色処理方法、色処理プログラムを提供することを目的とするものである。
【課題を解決するための手段】
【００１８】
　本発明は、入力画像からその入力画像を可視化するための画像信号への変換を行う色処理装置、色処理方法、色処理プログラムにおいて、入力画像を表示する領域の周辺部、例えば表示領域を限定するために表示される枠や、表示領域外の領域の色度情報や面積情報などの表示領域に関する設定条件を認識し、認識された設定条件に従って、入力画像における入力画像の周辺部の条件による色の見えの変化を予測して色変換係数を決定し、決定された色変換係数に基づいて入力画像に色変換処理を施すことを特徴とするものである。
【００１９】
　また本発明は、入力画像からその入力画像を可視化するための画像信号への変換を行う色処理装置、色処理方法、色処理プログラムにおいて、表示領域の周辺部における設定条件をユーザが設定可能とし、ユーザが設定した条件に従って色変換係数を決定し、決定された色変換係数に基づいて入力画像に色変換処理を施すことを特徴とするものである。例えば、周辺条件を含めた画像と周辺条件を伴わない画像とをユーザに提示し、両者の色の見えが略等しくなるような前記設定条件あるいは色の見えが略等しくなるサンプル画像の選択をユーザから受け取るように構成することができる。
【００２０】
　このように、入力画像を表示する領域の枠や領域外の条件を考慮して色変換処理を行うので、周囲の色による入力画像の見えへの影響を排除し、入力画像本来の色を忠実に再現することが可能となる。
【００２１】
　なお、これらの本発明の構成において、さらに、入力画像を表示する表示装置における白色に関する情報を加味して色変換係数を決定することができる。また、色変換係数の決定の際には、予め色変換係数を複数組保持しておいて、認識された設定条件に従って１組の色変換係数を決定するか、あるいは複数組の色変換係数から決定することができる。または、予め表示装置に依存する色変換係数を保持しておき、認識された設定条件に従って色変換係数に対して変換処理を施し、色変換処理時に用いる色変換係数を決定することもできる。さらに、色変換処理に使用すると決定した色変換係数を記憶しておき、後で記憶されている色変換係数を利用した色変換処理を可能とすることものできる。これにより、簡単に前回以前の条件での色変換処理を実行させることができる。
【発明の効果】
【００２２】
　本発明によれば、入力画像の周囲の表示条件、例えば入力画像を表示したときの枠や入力画像の表示領域外の画像などの状態を認識し、あるいはユーザが設定し、そのような表示条件に合わせて入力画像に対して色処理を施すので、入力画像として用いられる入力画像等に記述されている色の見えを観察する光源の下で、入力画像の色の見えを表示装置上に忠実に再現することができるという効果がある。
【発明を実施するための最良の形態】
【００２３】
　図１は、本発明の第１の実施の形態における基本的な構成を示すブロック図である。図中、１は入力画像、２は周辺条件認識部、３は表示装置設定色温度取得部、４は周辺条件補正用色変換係数記憶部、５は周辺条件補正色変換係数決定部、６は周辺条件補正色変換部、７は表示装置である。周辺条件認識部２は、入力画像１を表示する領域の周辺部の表示領域に関する設定条件を認識し、周辺条件補正色変換係数決定部５へ出力する。認識する設定条件としては、例えば入力画像１を表示する領域を限定するために表示される枠に関する色度情報と面積情報などとすることができる。あるいは、入力画像１の表示領域外の領域の色度情報及び面積情報を認識するように構成してもよい。
【００２４】
　表示装置設定色温度取得部３は、表示装置がどのような色温度で設定されているか（例えば白色表示時など）を検出し、その情報を周辺条件補正色変換係数決定部５へ出力するとともに、色変換部２へもその情報を出力する。
【００２５】
　周辺条件補正用色変換係数記憶部４には、周辺条件補正色変換部６において色処理を行う際に用いる色変換係数が複数組保持されている。周辺条件補正色変換係数決定部５は、周辺条件認識部２と表示装置設定色温度取得部３からの出力を受けて、入力画像１が表示装置７に表示されたとき、その周辺部の条件による色の見えの変化を予測し、周辺条件補正色変換部６において色処理を行う際に用いる色変換係数を決定する。色変換係数の決定は、周辺条件認識部２と表示装置設定色温度取得部３からの出力から、周辺条件補正用色変換係数記憶部４に保持されている色変換係数のうちの１組を選択することによって行うことができる。または、複数組の色変換係数を選択し、それらの色変換係数から周辺条件補正色変換部６で用いる色変換係数を生成してもよい。あるいは、入力画像を表示する表示装置に依存する基本的な色変換係数を周辺条件補正用色変換係数記憶部４に記憶させておき、その色変換係数に対して周辺条件認識部２と表示装置設定色温度取得部３からの出力に基づいて変換処理を施し、変換処理後の色変換係数を周辺条件補正色変換部６に出力するようにしてもよい。
【００２６】
　周辺条件補正色変換部６は、周辺条件補正色変換係数決定部５から出力される色変換係数を受け取り、その色変換係数に基づいて入力画像１に対して色変換処理を施す。そして表示装置７に対して色変換後の画像信号を出力する。上述のように、使用する色変換係数は周辺条件補正色変換係数決定部５において周辺条件認識部２で認識した当該画像周辺の設定条件に従って決定されたものであるので、周辺条件補正色変換部６では周辺条件補正色変換係数決定部５から渡された色変換係数を用いて色変換を行うだけで、画像の周辺条件に起因する色の見えを補正することができる。表示装置７において周辺条件補正色変換部６による色変換処理後の画像信号に基づいて画像を表示すれば、当該画像の周囲の環境によらず、忠実に色再現された画像を得ることができる。
【００２７】
　図１に示した例では表示領域の周辺の条件による色変換処理と他の色変換処理と同時に行うように示しているが、例えば表示領域の周辺の条件による色変換処理と他の色変換処理を別々に行うこととしても何ら問題はない。
【００２８】
　図２は、本発明の第２の実施の形態を含む基本的な構成を示すブロック図である。図中、図１と同様の部分には同じ符号を付して重複する説明を省略する。８は入力画像色温度情報認識部、１１は周辺条件対応色変換係数記憶部、１２は周辺条件対応色変換係数管理部、１３は周辺条件対応色変換部、２１は色の見え変換用色変換係数記憶部、２２は色域圧縮用色変換係数記憶部、２３はデバイス補正用色変換係数記憶部、３１は色の見え変換部、３２は色域圧縮部、３３はデバイス補正部である。図２に示す例では、入力画像の持つ色温度情報に従って色変換係数を作成し、色変換処理を行い、表示装置上に表示された出力画像をその色温度の環境下で観察することを想定している。その際に、画像表示に際しての周辺条件や表示条件に従って画像を表示装置上に忠実に再現するための変換を行うものである。また図２に示した例では、周辺条件による色変換処理を、色の見えの変換や色域圧縮処理、表示装置７の特性に応じたデバイス補正処理などとともに行う例を示している。もちろん、周辺条件による色変換処理としてどのような処理を行うかは任意であるし、周辺条件による色変換処理を他の色変換処理とともに行うような構成でもよい。
【００２９】
　入力画像色温度情報認識部８は、表示装置７上で入力画像１を観察する際の光源の色温度を認識し、取得した入力画像１の色温度情報を周辺条件対応色変換係数管理部１２へと渡す。認識方法は任意であるが、例えば入力画像に付与されている色温度情報を取得したり、あるいは、ユーザによる指示を受けるように構成することができる。ここでは入力画像１の色温度情報として三刺激値を取得するものとする。もちろん色温度情報は、色温度名（Ｄ５０、Ｆ８など）でも、ＣＩＥ１９３１ＸＹＺ色度情報でも、光源の分光特性データでも構わない。また、ディジタルカメラに代表されるレッド、グリーン、ブルーのＲＧＢ加法混色系の信号である場合には、その情報を認識して、自動的にｓＲＧＢで規定されるＤ６５光源の設定としてもよい。
【００３０】
　周辺条件認識部２は、ユーザが利用している表示装置７における周辺条件から、入力情報が表示されている領域の周辺条件を認識し、その各種情報を周辺条件対応色変換係数管理部１２へ渡す。周辺条件認識部２は、この例では、システムの設定から画像領域を規定する枠の表示の有無や、その設定色情報、面積情報等を抽出するものとする。もしも、ユーザが全画面を用いて入力画像１の編集作業を行っているのであれば、周辺条件認識部２はその情報を周辺条件対応色変換係数管理部１２へと渡す。また表示装置設定色温度取得部３は、表示装置７がどのような色温度に設定されているかを示す情報を取得し、それを周辺条件対応色変換係数管理部１２へと送出する。
【００３１】
　周辺条件対応色変換係数記憶部１１は、周辺条件対応色変換部１３の各部で色処理を行う際に用いる色変換係数を記憶している。この例では、周辺条件対応色変換係数記憶部１１は、色の見え変換用色変換係数記憶部２１、周辺条件補正用色変換係数記憶部４、色域圧縮用色変換係数記憶部２２、デバイス補正用色変換係数記憶部２３等を有している。
【００３２】
　色の見え変換用色変換係数記憶部２１は、周辺条件対応色変換部１３内の色の見え変換部３１で色の見えの変換処理を行う際に用いる色の見え変換用色変換係数を記憶している。色の見え変換用色変換係数は、環境光の色温度の影響や、画像表示媒体に依存する色の見えの違いを補正するためのものである。表示装置７のような発光体と反射物体のような反射物は、例えばＤ５０光源下やＤ６５光源下では、色度を合わせれば見た目の色もほぼ一致して、あまり違いは目立たない。しかし、一般のオフィスで使われるような４０００Ｋ前後の色温度の光源下では、色度を一致させても、見えの違いが目立ってくる。入力画像１が特に反射物体を基に作成されたものであるような場合には、見えの一致を図るために色の見え変換が必要になる。こうした色の見えの違いを吸収するため、専用の実験ブースの中で等色実験を行い、そこで得た複数の色について測色値と等色値を求め、色の見え変換用色変換係数を決定する。色の見え変換用色変換係数の形態は、３×３マトリクスや３次元ルックアップテーブル（ＬＵＴ）等、色の見え変換部３１において行う変換方式に合わせればどのような形態でも構わない。また、精度的にやや劣るが、例えば特開平１０−６５９３０号公報に開示されているように、こうした等色実験を白色のみに限定し、その他の色は色の見えモデルを利用して予測することによって色の見え変換用色変換係数の決定を行っても構わない。
【００３３】
　周辺条件補正用色変換係数記憶部４は、周辺条件対応色変換部１３内の周辺条件補正色変換部６で周辺条件を考慮した変換処理を行う際に用いる周辺条件補正用色変換係数を記憶している。周辺条件補正用色変換係数は、画像領域を規定する枠や背景部に存在する他の色が編集中の画像へ及ぼす影響を補正するためのものである。上述の図９を用いて説明したように、表示画像の周囲の例えば枠の存在の有無やその大きさなどによって、表示画像内の色の見えが変化してしまう。この補正を行う色変換係数が周辺条件補正用色変換係数である。この周辺条件補正用色変換係数の決定は、例えば、あらかじめ実験ブースでの等色実験を行い、そこで得た複数の色についての測色値と等色値を求め、これらを用いて決定することができる。また、この色の見えの違いは白色近傍が顕著であるため、色変換係数の決定の際には、その影響が及ぶ領域として入力画像１の色情報近傍に限定しても構わない。また、枠の幅が一定以上になるまでは、枠の存在による色の見えの変化は増大するが、一定以上になるとそれ以上は色の見えの変化は変わらない。そのため、周辺条件補正用色変換係数は、枠の幅や面積に応じて数組準備しておき、周辺条件に応じて選択することも可能である。
【００３４】
　色域圧縮用色変換係数記憶部２２は、周辺条件対応色変換部１３内の色域圧縮部３２で色域圧縮処理を行う際に用いる色域圧縮用色変換係数を記憶している。色域圧縮用色変換係数は、表示装置７の周囲の環境光が表示装置７の管面上に映り込むことにより、表示装置７の実質的な色域（色再現域）が縮小するため、この再現域に収まらない画像データの値を再現可能な領域にマッピングし直すものである。例えば、特開平１０−２３１３号公報にあるような明度を圧縮する方法を用いて作成することができる。これは、ＣＩＥＬ* ａ* ｂ* 色空間上、白色点（空間上で最もＬ* の高い点）と黒色点（空間上で最もＬ* の低い点）を、処理したい画像データと出力デバイス（表示装置７）の色再現域で一致させ、それに従ってＬ* のみを圧縮するものである。この他にも色域圧縮のための方法として様々な方法が提案されており、それらのいずれの方法を使っても構わない。
【００３５】
　デバイス補正用色変換係数記憶部２３は、周辺条件対応色変換部１３内のデバイス補正部３３でデバイスに応じた色変換処理を行う際に用いるデバイス補正用色変換係数を記憶している。デバイス補正用色変換係数は、入力画像１が有する色温度情報から算出したＣＩＥＬ* ａ* ｂ* 色空間上のデータをデバイスに依存した色空間Ｒ（赤）Ｇ（緑）Ｂ（青）に変換するためのものである。なお、ここでは、プリンタモデル（ニューラルネット法、統計的な手法等。それぞれ特開平８−２８６５号公報、特開平１０−２６２１５７号公報に開示されている方法など）に従って、Ｌ* ａ* ｂ* とＲＧＢを関係付ける色変換係数をあらかじめ求めておき、デバイス補正用色変換係数記憶部２３に３次元ルックアップテーブルの形で記憶しておくこととする。
【００３６】
　図３は、３次元ルックアップテーブルの説明図である。３次元ルックアップテーブルは、例えば図３（Ａ）に示すようにＬ* ａ* ｂ* 空間等の色空間を分割したときの格子点の座標に変換先の値を対応づけたものであり、格子点の座標に基づく値アドレスとし、当該アドレスに変換先の値を格納したテーブルである。この場合、格子点については対応する値が存在するが、そのほかの座標値については対応する値を有していない。このように格子点以外の座標の場合には、格子点の内分点としてとらえ、周囲の格子点における変換先の値から例えば補間することによって値を得る。例えば図３（Ｂ）に示す座標Ｑの変換先の値については、周囲８点の格子点Ｑ０〜Ｑ７の変換先の値の荷重和として得ることができる。すなわち、変換後の値をＤとして、周囲８点の格子点Ｑ０〜Ｑ７の変換後の値をＤｉ（ｉ＝０〜７）とすると、
　Ｄ＝（１−α）（１−β）（１−γ）Ｄ０＋（１−α）β（１−γ）Ｄ１
　　＋（１−α）βγＤ２＋（１−α）（１−β）γＤ３
　　＋α（１−β）（１−γ）Ｄ４＋αβ（１−γ）Ｄ５
　　＋αβγＤ６＋α（１−β）γＤ７
となる。α、β、γは０以上、１以下の値であり、格子点間の内分比である。なお、この例では立方体補間を用いているが、四面体補間、ピラミッド補間、プリズム補間など、様々な方法を適用することができる。こうした３次元ルックアップテーブルを使った色変換方法は例えば特公昭５５−０１６１８０号公報などに開示されている。
【００３７】
　周辺条件対応色変換係数管理部１２は、入力画像色温度情報認識部８から渡される入力画像色温度情報と、周辺条件認識部２から渡される周辺条件情報と、表示装置設定色温度取得部３から渡される表示装置７の色温度設定情報などに基づいて、色の見え変換用色変換係数記憶部２１、周辺条件補正用色変換係数記憶部４、色域圧縮用色変換係数記憶部２２、デバイス補正用色変換係数記憶部２３が記憶している複数の色変換係数の中から適切な色変換係数のセットを選択し、周辺条件対応色変換部１３に渡す。なお、この周辺条件対応色変換係数管理部１２は、図１に示した第１の実施の形態における周辺条件補正色変換係数決定部５の機能を含んでいるものである。
【００３８】
　周辺条件対応色変換部１３は、周辺条件対応色変換係数管理部１２から渡される色変換係数を用いて入力画像１に対して色変換処理を行い、表示装置７に対して出力する。周辺条件対応色変換部１３は、色の見え変換部３１、周辺条件補正色変換部６、色域圧縮部３２、デバイス補正部３３などを含んで構成されている。色の見え変換部３１、周辺条件補正色変換部６、色域圧縮部３２、デバイス補正部３３は、それぞれ、周辺条件対応色変換係数管理部１２から渡される色変換係数に基づいて各処理を行い、最終的に出力可能な信号に変換して表示装置７に出力する。
【００３９】
　なお、この例では周辺条件対応色変換部１３は全部で４つの変換手段から構成されているが、周辺条件対応色変換係数記憶部１１に記憶されている色変換係数が３次元ルックアップテーブルの場合には、これら各処理で用いる色変換係数を合成した色変換係数を記憶しておき、また周辺条件対応色変換部１３をそれに対応した色変換手段だけで構成してもよい。これにより、合計の演算量が減少し、３次元ルックアップテーブルを複数回適用することにより起こる色変換時の誤差を減らすことができるとともに、処理速度を向上させることができる。特に、色の見えの変換である前段２つの色変換を、あらかじめ等色実験を行って１つの色変換係数として求めておくことも可能であるし、環境光が影響を及ぼす色補正処理の色変換係数を合成して求めておき、デバイス補正部３３との２段の構成にしても構わない。
【００４０】
　次に、本発明の第３の実施の形態について説明する。なお、基本的な構成は図２に示した第２の実施の形態と同様であるので、図示を省略するとともに重複する説明を省略する。この第３の実施の形態が上述の第２の実施の形態と異なるのは、周辺条件認識部２の動作である。
【００４１】
　すなわち、この第３の実施の形態における周辺条件認識部２は、表示装置７の表示画面上の全情報から、色処理を行っている対象画像情報が表示された画像ウィンドウ以外からの情報を抽出する。その中に、色処理を行っている対象画像情報の色の見えに強く影響を及ぼす色情報がある場合に、その影響量を計算し、その演算結果を周辺条件対応色変換係数管理部１２へと渡す。
【００４２】
　例えば、表示装置７に表示されている対象画像情報の画像ウィンドウ以外の背景部分に、その表示装置７の設定色温度で表示された白色が存在する場合、その白色部分の位置情報を抽出し、その面積と、対象画像情報の表示領域までの距離を算出する。それ以外にも、対象画像情報の表示に影響を及ぼす原色等が背景部分に表示されるときには、その原色などの影響を及ぼす色についても色補正を行うように設定を行うことも可能である。なお、表示装置７の設定色温度の情報は、表示装置設定色温度取得部３によって取得することができる。
【００４３】
　周辺条件対応色変換係数管理部１２は、周辺条件認識部２で算出された、対象画像情報に影響する背景部分の色領域（例えば白色領域）の面積情報及び対象画像情報までの距離情報を受け取る。そして、それらの情報から、対象画像情報に影響する背景部分の色領域が、対象画像情報の色の見えに及ぼす影響を計算する。この計算結果に従い、周辺条件補正用色変換係数記憶部４から、あらかじめ等色実験などによって定められた最適な周辺条件補正用色変換係数を取得する。取得した周辺条件補正用色変換係数は周辺条件対応色変換部１３に渡され、周辺条件対応色変換部１３の周辺条件補正色変換部６において必要な色処理が入力画像１に対して施される。
【００４４】
　なお、ユーザが表示装置７上の全画面を利用して入力画像情報の編集作業を行っている場合には、周辺条件認識部２はその旨の情報を周辺条件対応色変換係数管理部１２に出力すればよい。周辺条件対応色変換係数管理部１２では、周辺条件に影響されない色変換係数を選択して周辺条件補正色変換部６に渡し、周辺条件補正色変換部６では、入力画像１に対して周辺の状態についての補正を行うことなく出力すればよい。この場合、他の色変換処理については従来と同様に行うことになる。
【００４５】
　図４は、本発明の第４の実施の形態を含む基本的な構成を示すブロック図である。図中、図２と同様の部分には同じ符号を付して重複する説明を省略する。４１はユーザ条件設定部、４２は色変換係数条件記憶部である。上述の第１ないし第３の実施の形態では、周辺条件認識部２において入力画像１を表示する領域の周辺部の表示領域に関する設定条件を自動的に認識し、その認識結果に従って、周辺条件補正色変換係数決定部５または周辺条件対応色変換係数管理部１２が周辺条件補正用色変換係数記憶部４に記憶されている周辺条件補正用色変換係数やその他の色変換係数を選択した。本発明はこれに限らず、色変換係数の選択をユーザが選択するように構成することもでき、この第４の実施の形態ではそのような構成例を示している。
【００４６】
　ユーザ条件設定部４１は、周辺条件補正用色変換係数記憶部４に記憶されている周辺条件補正用色変換係数やその他の色変換係数をユーザが選択するためのユーザインタフェースを提供する。図５は、ユーザ条件設定部がユーザに提供するユーザインタフェースの一例の説明図である。この例では、表示装置設定色温度取得部３についてもユーザが設定するものとして同じユーザインタフェースにおいて設定可能とした例を示している。最上段の表示装置設定色温度の操作バーが表示装置設定色温度取得部３を設定するためのものである。なお、表示装置の設定色温度を変更する機能が表示装置に備わっていない場合には表示装置設定色温度を固定にすればよく、あるいは設定項目自体を表示しないようにしてもよい。
【００４７】
　図５に示した例では、上述の表示装置設定色温度のほか、画像枠表示条件、画像枠幅設定条件、表示色補正量調整の各設定が可能である。画像枠表示条件としては、画像の周囲に枠を表示するか否かを設定する。上述のように、枠が存在する場合、その画像の色の見えに影響する。そのため、枠が存在する場合には、周辺条件補正用の色変換係数を用いることになる。画像枠幅設定条件は、画像の周囲に枠を表示する場合に、その枠の幅を設定する。この枠の幅の設定によって、周辺条件の補正量を調整することができる。さらに表示色補正量調整は、ユーザが意図的に周辺条件の補正量を変更する際に、その補正量を設定することができる。ここでは、補正なしから標準よりも強く補正をかける設定まで、行うことができる。
【００４８】
　このほかにも、色相調整機能（黄色みの増減（青み減増）、赤み増減（緑み減増））を設定できるようにしたり、彩度の増加（減少）を設定できるようにしてもよい。また、調整の際の表示や調整の際の操作方法も図５に示した例に限られるものではなく、例えば数値入力などを含め、種々の表示方法や操作方法を適用することができる。
【００４９】
　このようなユーザインタフェースによってユーザが設定した各値をもとに、周辺条件対応色変換係数管理部１２は、周辺条件対応色変換係数記憶部１１に複数記憶されている周辺条件補正用色変換係数を含む各種色変換係数から最適な色変換係数を選択し、周辺条件対応色変換部１３で色変換を行えばよい。
【００５０】
　図６は、ユーザ条件設定部がユーザに提供するユーザインタフェースの別の例の説明図である。この例では、簡易的に色の見えがどのようになるかを観察しながら色調整を行うことができるユーザインタフェースの例を示している。この例においては、図６の上部に示した２つの円の環状部分が画像周辺の枠を示し、その中に色票の色を表示する。２つの円のうち、左側は表示条件である枠となる白色の色温度で枠がつけられ、右側にはそのような枠が提示されず，黒枠で覆われている条件を示している。なお、背景は例えばグレーなど、色の見えになるべく影響しない色とすることが望まれる。
【００５１】
　このような２つの円を表示したとき、それぞれが周辺の枠の色に影響され、同じ色を表示していても異なった色としてユーザに感知されることがある。その場合には、下部の各設定を調整することによって、左右の中心部の色の見えが略等しくなるように色を調整する。調整項目としては、この例では赤み／緑み、黄色み／青み、明るさの３条件を示しており、それぞれ、例えばマウスなどによってスライドバーを移動させ、調整することができる。そして、色の調整が終了したら、「ＯＫ」ボタンを操作する。このときの設定を装置内で記憶しておく。
【００５２】
　このような色の調整を、複数色（１０〜２０色）について行う。そして、それぞれの色における調整量から、例えば最小二乗法などを用いて、周辺条件対応色変換係数管理部１２において最適な周辺条件補正用色変換係数を算出し、もしくは既に蓄えられている周辺条件補正用色変換係数の中から最適なものを選択して、他の色変換係数とともに用いて周辺条件対応色変換部１３で色変換を行えばよい。
【００５３】
　なお、図６に示した例では、色の見えを合わせるために円を表示しているが、形状は任意であり、矩形でも、他の形状であってもよい。また、枠の太さや色、明るさなどを設定可能に構成してもよい。また、図５の場合と同様にスライドバー以外にも、種々の操作方式や表示方式を適用することができる。
【００５４】
　ここではユーザ条件設定部がユーザに提供するユーザインタフェースの例としては、図５、図６に示した例に限らず、種々のユーザインタフェースを提供することができる。例えばいくつかの色変換を施した色と枠のない場合の色とを表示して、いずれが見えが類似しているかを選択するようにしたり、そのような選択を繰り返してゆき、次第に絞り込んでゆくといった手法も適用可能である。また、上述の第１ないし第３の実施の形態で述べた周辺条件認識部２を用いるか否かを設定可能として、自動的な色変換係数の選択とユーザによる色変換係数の選択が可能なように構成してもよい。
【００５５】
　図４に戻り、色変換係数条件記憶部４２は、周辺条件対応色変換係数管理部１２で選択した色変換係数を保存しておくことができる。この場合、例えばユーザＩＤなどのユーザを特定する情報と対応づけておくことができる。例えば上述のユーザ条件設定部４１で設定操作を行った場合に、そのときの操作設定された条件や、その時の条件で選択された周辺条件補正用色変換係数あるいはその他の色変換係数を含めて、色変換係数条件記憶部４２に記憶させておく。そして、次回以降では、記憶させておいた内容を呼び出して用いることによって、同じ色変換係数を用いた色変換を簡単に行うことができる。この色変換係数条件記憶部４２は、上述の第１ないし第３の実施の形態における構成に付加することも可能である。
【００５６】
　なお、ユーザを特定する情報を付加しておけば、それぞれのユーザごとに１ないし複数の条件や色変換係数などを登録しておき、それぞれのユーザがそれぞれの登録内容を利用することができる。ユーザを特定する情報と対応づけておくほか、例えばそれぞれの登録内容に名前を付与しておいて、その名前で選択し、あるいはさらに検索できるように構成してもよい。
【００５７】
　なお、上述の各実施の形態における各部の機能は、コンピュータプログラムによっても実現することが可能であり、コンピュータに色処理プログラムを実行させることによって上述のような機能を実現することができる。このとき、色処理プログラムは、例えばデバイスドライバに実装してもよいし、ＯＳ内のＣＭＭ（Ｃｏｌｏｒ　Ｍａｔｃｈｉｎｇ　Ｍｏｄｕｌｅ）を利用する形態であってもかまわないし、表示装置の画像処理手段の一部として実装してもよい。
【００５８】
　また、このようなコンピュータプログラムや、プログラムが用いるデータ等は、コンピュータが読み取り可能な記憶媒体に記憶させておくことも可能である。記憶媒体にプログラムを格納しておき、例えば本発明の色処理装置として動作させるコンピュータにこれらの記憶媒体を装着することによって、コンピュータからプログラムを読み出し、上述の各実施の形態で説明した機能を実行することができる。もちろん、ネットワークなどを介してプログラムをコンピュータに転送し、実行させてもよい。
【図面の簡単な説明】
【００５９】
【図１】本発明の第１の実施の形態における基本的な構成を示すブロック図である。
【図２】本発明の第２の実施の形態を含む基本的な構成を示すブロック図である。
【図３】３次元ルックアップテーブルの説明図である。
【図４】本発明の第４の実施の形態を含む基本的な構成を示すブロック図である。
【図５】ユーザ条件設定部がユーザに提供するユーザインタフェースの一例の説明図である。
【図６】ユーザ条件設定部がユーザに提供するユーザインタフェースの別の例の説明図である。
【図７】ＩＣＣで提案されている従来の色管理方法の一例の説明図である。
【図８】従来の色処理方法を適用した装置の一例の説明図である。
【図９】周囲の画像による色の見えの違いの概念図である。
【符号の説明】
【００６０】
　１…入力画像、２…周辺条件認識部、３…表示装置設定色温度取得部、４…周辺条件補正用色変換係数記憶部、５…周辺条件補正色変換係数決定部、６…周辺条件補正色変換部、７…表示装置、８…入力画像色温度情報認識部、１１…周辺条件対応色変換係数記憶部、１２…周辺条件対応色変換係数管理部、１３…周辺条件対応色変換部、２１…色の見え変換用色変換係数記憶部、２２…色域圧縮用色変換係数記憶部、２３…デバイス補正用色変換係数記憶部、３１…色の見え変換部、３２…色域圧縮部、３３…デバイス補正部、４１…ユーザ条件設定部、４２…色変換係数条件記憶部。
【図１】
2004072758.tif 000003
【図２】
2004072758.tif 000004
【図３】
2004072758.tif 000005
【図４】
2004072758.tif 000006
【図５】
2004072758.tif 000007
【図６】
2004072758.tif 000008
【図７】
2004072758.tif 000009
【図８】
2004072758.tif 000010
【図９】
2004072758.tif 000011